【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
建物の振動とともにエレベータのロープやケーブルが共振し、昇降路内機器に接触することを防止するエレベータ制御装置において、
前記建物の振幅に応じて複数の検知レベルを検出する検知装置と、
該検知装置による予め定められた第１の検知レベルの振幅の検知に基づいて外部機器に建物の振動を検出したことを報知し、前記第１の検知レベルの振幅の検知後、前記第１の検知レベルの振幅より大きい予め定められた第２の検知レベルの振幅の検知に基づいてエレベータを最寄階に移動する管制運転をさせる制御盤と、
を備えたことを特徴とするエレベータ制御装置。
【請求項２】
制御盤は、エレベータの最寄階への移動への管制運転は平常運転であることを特徴とする請求項１に記載のエレベータ制御装置。
【請求項３】
建物の振動とともにエレベータのロープやケーブルが共振し、昇降路内機器に接触することを防止するエレベータ制御装置において、
前記建物の振幅に応じて複数の検知レベルを検出する検知装置と、
該検知装置による予め定められた第１の検知レベルの振幅の検知に基づいて外部機器に建物の振動を検出したことを報知し、前記第１の検知レベルの振幅の検知後、前記第１の検知レベルの振幅より大きい予め定められた第２の検知レベルの振幅の検知に基づいてエレベータを建物の振動による影響を受けない非共振階へ移動する管制運転をさせる制御盤と、
を備えたことを特徴とするエレベータ制御装置。
【請求項４】
制御盤は、検知装置による第２の検知レベルの振幅の検知に基づいて、かご及び乗場の登録済のよびをキャンセルし、以後のエレベータの継続使用を不可とすることを特徴とする請求項１乃至３の何れかに記載のエレベータ制御装置。
【請求項５】
建物の振動とともにエレベータのロープやケーブルが共振し、昇降路内機器に接触することを防止するエレベータの制御方法であって、
前記建物の振幅に応じて複数の検知レベルを検出する検知装置による予め定められた第１の検知レベルの振幅の検知に基づいて外部機器に建物の振動を検出したことを報知するステップと、
前記第１の検知レベルの振幅の検知後、前記第１の検知レベルの振幅より大きい予め定められた第２の検知レベルの振幅の検知に基づいてエレベータを最寄階に移動させるステップと、
を備えたことを特徴とするエレベータの制御方法。
【請求項６】
最寄階に移動させるステップは、平常運転であることを特徴とする請求項５に記載のエレベータの制御方法。
【請求項７】
建物の振動とともにエレベータのロープやケーブルが共振し、昇降路内機器に接触することを防止するエレベータの制御方法であって、
前記建物の振幅に応じて複数の検知レベルを検出する検知装置による予め定められた第１の検知レベルの振幅の検知に基づいて外部機器に建物の振動を検出したことを報知するステップと、
前記第１の検知レベルの振幅の検知後、前記第１の検知レベルの振幅より大きい予め定められた第２の検知レベルの振幅の検知に基づいてエレベータを建物の振動による影響を受けない非共振階へ移動させるステップと、
を備えたことを特徴とするエレベータの制御方法。
【請求項８】
第２の検知レベルの振幅の検知に基づいて、かご及び乗場の登録済のよびをキャンセルするステップと、
を備えたことを特徴とする請求項５乃至７の何れかに記載のエレベータの制御方法。
【手続補正２】
【補正対象書類名】明細書
【補正対象項目名】発明の名称
【補正方法】変更
【補正の内容】
【発明の名称】エレベータ制御装置及びエレベータの制御方法
【手続補正３】
【補正対象書類名】明細書
【補正対象項目名】０００１
【補正方法】変更
【補正の内容】
【０００１】
この発明は、エレベータ制御装置及びエレベータの制御方法に関するものである。詳しくは、エレベータが設置される建物が長周期地震により振動した場合に、エレベータ内の乗客の安全を確保するとともに、エレベータ昇降路機器の損傷を最小限に抑えるためのエレベータ制御装置とエレベータの制御方法とに関するものである。
【手続補正４】
【補正対象書類名】明細書
【補正対象項目名】０００９
【補正方法】変更
【補正の内容】
【０００９】
この発明は、上述のような課題を解決するためになされたもので、エレベータが設置される建物が長周期地震により振動した場合、エレベータ内の乗客の安全を確保するとともに、エレベータ昇降路機器の損傷を最小限に抑えることができるエレベータ制御装置とエレベータの制御方法とを提供するものである。
【手続補正５】
【補正対象書類名】明細書
【補正対象項目名】００１０
【補正方法】変更
【補正の内容】
【００１０】
この発明のエレベータ制御装置は、建物の振動とともにエレベータのロープやケーブルが共振し、昇降路内機器に接触することを防止するエレベータ制御装置において、建物の振幅に応じて複数の検知レベルを検出する検知装置と、該検知装置による予め定められた第１の検知レベルの振幅の検知に基づいて外部機器に建物の振動を検出したことを報知し、第１の検知レベルの振幅の検知後、第１の検知レベルの振幅より大きい予め定められた第２の検知レベルの振幅の検知に基づいてエレベータを最寄階に移動する管制運転をさせる制御盤と、を備えたものである。
【手続補正６】
【補正対象書類名】明細書
【補正対象項目名】００１１
【補正方法】変更
【補正の内容】
【００１１】
また、この発明のエレベータ制御装置は、建物の振動とともにエレベータのロープやケーブルが共振し、昇降路内機器に接触することを防止するエレベータ制御装置において、建物の振幅に応じて複数の検知レベルを検出する検知装置と、該検知装置による予め定められた第１の検知レベルの振幅の検知に基づいて外部機器に建物の振動を検出したことを報知し、第１の検知レベルの振幅の検知後、第１の検知レベルの振幅より大きい予め定められた第２の検知レベルの振幅の検知に基づいてエレベータを建物の振動による影響を受けない非共振階へ移動する管制運転をさせる制御盤と、を備えたものである。
【手続補正７】
【補正対象書類名】明細書
【補正対象項目名】００１２
【補正方法】変更
【補正の内容】
【００１２】
この発明のエレベータの制御方法は、建物の振動とともにエレベータのロープやケーブルが共振し、昇降路内機器に接触することを防止するエレベータの制御方法であって、建物の振幅に応じて複数の検知レベルを検出する検知装置による予め定められた第１の検知レベルの振幅の検知に基づいて外部機器に建物の振動を検出したことを報知するステップと、第１の検知レベルの振幅の検知後、第１の検知レベルの振幅より大きい予め定められた第２の検知レベルの振幅の検知に基づいてエレベータを最寄階に移動させるステップと、を備えたものである。
【手続補正８】
【補正対象書類名】明細書
【補正対象項目名】００１３
【補正方法】変更
【補正の内容】
【００１３】
また、この発明のエレベータの制御方法は、建物の振動とともにエレベータのロープやケーブルが共振し、昇降路内機器に接触することを防止するエレベータの制御方法であって、建物の振幅に応じて複数の検知レベルを検出する検知装置による予め定められた第１の検知レベルの振幅の検知に基づいて外部機器に建物の振動を検出したことを報知するステップと、第１の検知レベルの振幅の検知後、第１の検知レベルの振幅より大きい予め定められた第２の検知レベルの振幅の検知に基づいてエレベータを建物の振動による影響を受けない非共振階へ移動させるステップと、を備えたものである。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】